(57)【要約】個人情報装置を生成又は更新する方法は、患者識別情報、医療履歴情報、現在の患者の治療計画、及び患者医療好み情報をコンピュータ（８８）に入力することを含む。患者識別情報、医療履歴情報、現在の患者の治療計画、及び患者医療好み情報は、個人情報装置に書き込まれる又は更新される。
2008521130.tif 000002
【特許請求の範囲】
【請求項１】
患者情報及び必要な検査情報を個人情報装置に入力する方法であって、
患者識別情報をコンピュータに入力し、
必要な医療検査情報を前記コンピュータに入力し、
前記患者識別情報又は前記必要な検査情報又はその両方を前記個人情報装置に書き込む、
ことを含む方法。
【請求項２】
請求項１に記載の方法であって、前記個人情報装置が、携帯情報端末（ＰＤＡ）、携帯電話、クレジットカード、保存カード、医療保険カード、ジャンプドライブ、高周波識別（ＲＦＩＤ）書き込み可能カード、又は書き込み可能生体測定チップを含む群から選択される方法。
【請求項３】
請求項１に記載の方法であって、前記医療検査情報が、コレステロール、血糖値、薬検出、アルツハイマー病、又は妊娠関連検査を含む群から選択される方法。
【請求項４】
請求項１に記載の方法であって、前記医療検査情報が、目の検査、唾、血液、肌、体液、体像、心電図、ハイパースペクトル撮影、多スペクトル撮影、又は酸素化を含む群から選択される方法。
【請求項５】
請求項１に記載の方法であって、前記患者情報又は前記医療検査情報又はその両方が、保存装置に送信される方法。
【請求項６】
請求項５に記載の方法であって、前記保存装置が、ネットワーク中央倉庫である方法。
【請求項７】
請求項１に記載の方法であって、医師のコメントが前記個人情報装置に記録される方法。
【請求項８】
個人情報装置を生成又は更新する方法であって、
患者識別情報をコンピュータに入力し、
患者医療履歴情報を前記コンピュータに入力し、
患者の現在の治療計画を前記コンピュータに入力し、
患者の医療好み情報を前記コンピュータに入力し、
前記患者識別情報又は前記患者医療履歴又は前記患者の現在の治療計画又は前記患者の医療好み情報又はその全てを前記個人情報装置に書き込む又は更新する、
ことを含む方法
【請求項９】
請求項８に記載の方法であって、前記患者識別情報が、セキュリティアクセスデータを含む方法。
【請求項１０】
医療キオスクを使う方法であって、
個人情報装置を認証し、
前記個人情報装置を使って個人を確認し、
前記個人情報装置上の医療記録にアクセスし、
前記医療キオスクにおいて実行される検査を決定し、
前記検査を実行し、
前記検査の結果を記録する、
ことを含む方法。
【請求項１１】
請求項１０に記載の方法であって、前記認証が、前記医療キオスクが、携帯情報端末（ＰＤＡ）、携帯電話、クレジットカード、保存カード、医療保険カード、ジャンプドライブ、ＲＦＩＤ書き込み可能カード、又は書き込み可能生体測定チップを含む群から選択される複数の前記個人情報装置の具体的構成のいずれかと通信することから成る方法。
【請求項１２】
請求項１０に記載の方法であって、前記認証が、前記医療キオスクが、前記個人情報装置を検出し、識別し、前記個人情報装置と通信することから成る方法。
【請求項１３】
医療キオスクを使う方法であって、
少なくとも１つの生体測定シグネチャを使って個人の身元を確認し、
前記個人の医療記録にアクセスし、
前記医療キオスクにおいて実行される検査を決定し、
前記検査を実行し、
前記検査の結果を記録する、
ことを含む方法。
【請求項１４】
請求項１３に記載の方法であって、前記医療記録が、支払い情報を含む方法。
【請求項１５】
請求項１３に記載の方法であって、更に、
前記確認ステップの前に、個人識別装置を使い、前記個人に、医療検査をする時が来ていることを知らせるステップを含む方法。
【請求項１６】
請求項１５に記載の方法であって、前記知らせるステップが、前記医療キオスクの位置情報を含む方法。
【請求項１７】
医療キオスクであって、
個人情報装置を認証するセンサと、
前記個人情報装置を使い個人の生体測定を確認するマイクロプロセッサであって、前記個人情報装置上の医療記録にアクセスし、前記医療キオスクにおいて実行される検査を判断するマイクロプロセッサと、
前記検査を実行する装置と、
前記検査の結果を記録する記録装置と、
を含む医療キオスク。
【請求項１８】
医療キオスクを使う方法であって、
前記医療キオスクにおいてクレジットカードを通過させて読み取らせ、
個人の名前及び口座番号を読み取り、
個人識別番号（ＰＩＮ）を入力し、
データベースにアクセスし、
前記個人の患者記録を引き出し、
キオスクサービスオプションを選択し、
前記選択されたサービスを提供する、
ことを含む方法。
【請求項１９】
請求項１８に記載の方法であって、更に、
前記患者記録に情報を追加するステップを含む方法。
【請求項２０】
請求項１８に記載の方法であって、更に、
情報を第三者に転送するステップを含む方法。
【請求項２１】
請求項１８に記載の方法であって、更に、
前記個人が前記カードを通過させて読み取らせる前に、前記個人に、検査が必要であること及び医療キオスクの位置を知らせるステップを含む方法。
【請求項２２】
医療キオスクを使う方法であって、
電子患者記録（ＥＰＲ）カードを検出し、
前記ＥＰＲカードを使って個人の身元を確認し、
前記ＥＰＲカードから、名前、口座情報、個人情報、及び望まれる医療キオスクサービスを含む群から選択される情報を引き出し、
前記医療キオスクサービスを提供する、
ことを含む方法。
【請求項２３】
請求項２２に記載の方法であって、前記確認が、生体測定入力又はパスワードを含む方法。
【請求項２４】
請求項２２に記載の方法であって、更に、
情報を前記患者記録に追加するステップを含む方法。
【請求項２５】
請求項２２に記載の方法であって、更に、
情報を第三者に転送するステップを含む方法。
【請求項２６】
請求項２２に記載の方法であって、更に、
前記ＥＰＲカードの検出前に、前記個人に、検査が必要であること及び医療キオスクの位置を知らせるステップを含む方法。
【請求項２７】
請求項２２に記載の方法であって、更に、
前記ＥＰＲから情報が引き出された後に、データベースから追加の情報を要求するステップを含む方法。
【請求項２８】
医療キオスクを使う方法であって、
前記等しいキオスクに生体測定データを入力し、
前記生体測定データを入力した個人の身元を確認し、
前記個人による目的とする使用を確認し、
前記個人の電子患者記録（ＥＰＲ）を引き出し、
前記個人にサービスオプションを選択するよう促し、
前記選択されたサービスを提供する、
ことを含む方法。
【請求項２９】
請求項２８に記載の方法であって、更に、
情報を前記ＥＰＲに追加するステップを含む方法。
【請求項３０】
請求項２８に記載の方法であって、更に、
情報を第三者に転送するステップを含む方法。
【請求項３１】
請求項２８に記載の方法であって、更に、
前記生体測定データを入力する前に、前記個人に、検査が必要であること及び医療キオスクの位置を知らせるステップを含む方法。
【請求項３２】
医療キオスクを使う方法であって、
電子患者記録（ＥＰＲ）カードを検出し、
前記ＰＲを使って個人の身元を確認し、
前記ＥＰＲから前記個人に関する情報を引き出し、
サービスを提供する、
ことを含む方法。
【請求項３３】
請求項３２に記載の方法であって、更に、
情報を前記ＥＰＲに追加するステップを含む方法。
【請求項３４】
請求項３２に記載の方法であって、更に、
情報を第三者に転送するステップを含む方法。
【請求項３５】
請求項３２に記載の方法であって、更に、
前記生体測定データを入力する前に、前記個人に、検査が必要であること及び医療キオスクの位置を知らせるステップを含む方法。
【請求項３６】
請求項３２に記載の方法であって、提供されたサービスの結果が、印刷される方法。
【発明の詳細な説明】
【技術分野】
【０００１】
本発明は、医療検査、医療キオスク、及び電子患者記録の分野に関し、特に、医療キオスクと共に使われる電子患者記録に関する。
【背景技術】
【０００２】
患者医療記録が存在し、今日では、電子的な形態のこれらの記録が保存されていることは広く知られている。これらの医療記録は、例えば、医療カード、コンピュータ化されたデータベースシステム、及び兵士の認識票などの複数の具体的構成で保存できる。米国特許出願公開第２００４／０２０４９６１号（レンシマー等（Ｒｅｎｓｉｍｅｒ  ｅｔ  ａｌ．））には、医師及び他の医療スタッフ人員が患者の治療履歴情報を記録することを可能にする、患者データの処理システム及び処理方法が記載されている。この特許出願公開は、医療治療データを、記録し、セーブし、携帯用システムから、より大きな固定情報又はデータベースシステムに転送することができることを示している。
【０００３】
医療記録を電子形式で生成する方法は広く知られている。医者、看護士、医療アシスタント、又は事務アシスタントが、患者データを手動コンピュータキーボードや音声認識システムを通じてコンピュータに入力又は現存する文書を走査システムを使い走査することでコンピュータに入力できる。一旦、データがコンピュータにロードされると、カード書き込み装置（カードは、クレジットカード型オプションの構成であってもよく、ＣＤ、ＤＶＤ、又は市場に存在する物理保存媒体のいずれかの構成であってもよい）を通じて、又は、他のコンピュータ、携帯情報端末（ＰＤＡ）、又は携帯電話への電気接続（有線又は無線）、又は、遠隔の保存及び将来の利用のためにインターネットを通じて、電子患者記録（ＥＰＲ）を生成できる。米国特許出願公開第２００３／０１７７０３３号（パーク等（Ｐａｒｋ  ｅｔ  ａｌ．））には、インターネットを使って、処方箋及び治療法情報のために、医者と薬局との間でＥＰＲを送信する方法が開示されている。ｉＭｅｔｒｉｋｕｓ  ＭｅｄｉＣｏｍｐａｓｓシステム（ｗｗｗ．ｉＭｅｔｒｉｋｕｓ．ｃｏｍ）は、患者が、慢性的な状態を電子的に監視し、検査結果を記録し、オンラインで医師と通信することを可能にする。
【０００４】
現金自動預入支払機（ＡＴＭ）などの非医療キオスクは、取引を行う前に、個人的な記録にアクセスするためのユーザ認証を必要とする。この認証は、銀行カード及びピン番号、ユーザＩＤ及びパスワード、又はより複雑化された生体測定分析を提示する形式であってもよい。既知の生体測定認証手段としては、声紋、指や親指の指紋、ＤＮＡ試験、及び網膜走査が挙げられる。米国特許第６，７５８，３９４号（マスカティヤ等（Ｍａｓｋａｔｉｙａ  ｅｔ  ａｌ．））には、生体測定識別手段を使い、ユーザの身元を確認し、セルフサービス装置との取引を許可する方法が開示されている。米国特許出願公開第２００１／００４４７７７号（ハレー等（Ｈａｌｅｙ  ｅｔ  ａｌ．））には、モバイル装置を使い取引を許可及び認可する技術が開示されている。
【０００５】
市場には、患者の心拍数及び血圧などの基本的な生命の統計を監視する、無人（ｕｎａｓｓｉｓｔｅｄ）医療キオスクが存在する（ｗｗｗ．ＬｉｆｅＣｌｉｎｉｃ．ｃｏｍのＬｉｆｅＣｌｉｎｉｃを参照）。米国特許出願公開第２００４／００４４５６０号（ギグリオ等（Ｇｉｇｌｉｏ  ｅｔ  ａｌ．））には、ユーザの個人データ（脂肪分析）を検査しコンピュータプロセッサに出力する装置が示されている。米国特許第６，６９２，４３６号（ブルース等（Ｂｌｕｔｈ  ｅｔ  ａｌ．））には、血圧検査、健康及びフィットネス評価、及び医療百科事典を提供する健康キオスクが示されている。他の無人キオスクは、ユーザが、質疑応答スクリプトを使い状態を診断し、診断の結論に達することを助ける。米国特許第６，６４１，５３２号（イリフ（Ｉｌｉｆｆ））には、患者との自動化された診断セッションを複数の疾患スクリプト、患者の医療記録、及び疾患エンジンを使って行い、スクリプトを処理して変化を医療記録に送る技術が示されている。スタッフがいる医療キオスクも存在し、看護士が、特定の病気を調査する（ｗｗｗ．ＭｉｎｕｔｅＣｌｉｎｉｃ．ｃｏｍのＭｉｎｕｔｅＣｌｉｎｉｃを参照）。
【０００６】
当該分野に関連するが、本願に記載される問題を解決しない、以下の出願が引用される。
米国特許出願公開第２００４／０１２４９６６号（フォレスト（Ｆｏｒｒｅｓｔ））には、無線セキュリティ装置の認証技術が示されている。
米国特許出願公開第２００４／００４４５６０号（ギグリオ等（Ｇｉｇｌｉｏ  ｅｔ  ａｌ．））には、ユーザの個人データ（脂肪分析器）を検査しコンピュータプロセッサに出力する装置の技術が示されている。
米国特許第６，６４１，５３２号（イリフ（Ｉｌｉｆｆ））には、患者、複数の疾患スクリプト、患者医療記録、及び疾患エンジンと共に、スクリプトを処理して変化を医療記録に送る、自動診断セッションの技術が示されている。
米国特許第６，４３８，４５１号（ライオン（Ｌｉｏｎ））には、ネットワーク化されたキオスクを通じて患者に薬を分配する技術が示されている。
米国特許出願公開第２００２／００９９６５８号（ニエルソン等（Ｎｉｅｌｓｏｎ  ｅｔ  ａｌ．））には、モバイルポータルを通じて情報を引き出し表示する技術が示されている。
米国特許出願公開第２００２／００９９６５７号（ブラック等（Ｂｌａｃｋ  ｅｔ  ａｌ．）には、セルフサービス端末（ＳＳＴ）ユーザインターフェースを、ＳＳＴ近辺のモバイルコンピュータ装置の検出に基づき構成する技術が示されている。
米国特許出願公開第２００１／００４４７７７号（ハレー等（Ｈａｌｅｙ  ｅｔ  ａｌ．））には、モバイル装置を通じて取引を許可及び認可する技術が示されている。
英国特許第２，３６５，１７７号（スループ等（Ｓｌｕｐｅ  ｅｔ  ａｌ．））には、携帯個人装置からのデジタルデータの交換を容易にする技術が示されている。
【０００７】
【特許文献１】米国特許出願公開第２００４／０１２４９６６号明細書
【特許文献２】米国特許出願公開第２００４／００４４５６０号明細書
【特許文献３】米国特許第６，６４１，５３２号明細書
【特許文献４】米国特許第６，４３８，４５１号明細書
【特許文献５】米国特許出願公開第２００２／００９９６５７号明細書
【特許文献６】米国特許出願公開第２００１／００４４７７７号明細書
【特許文献７】英国特許第２，３６５，１７７号明細書
【発明の開示】
【発明が解決しようとする課題】
【０００８】
これらの医療キオスクの全てが、医者を訪ねるよりも利用可能性が向上した便利な医療サービスを顧客に提供する。しかしながら、無人キオスクは、患者の医療記録（医者の注文、処方箋情報、及び個々の患者の履歴を含む）に安全にアクセスできないこと及び基本的な生命の統計的分析又は質疑応答スクリプトを超える診断検査を実行できないことにより、総合的な診断サービスを提供する能力が制限されている。有人のキオスクは、より多くの診断検査を患者に提供できるが、その操業時間、制限されたロケーション数、及び制限された電子患者記録へのアクセスによって利便性が制限されている。
【０００９】
市場には、医療キオスクの実用性を更に高め、患者のプライバシー及び電子医療記録の安全性及び整合性を確実に保ちつつ、便利でアクセス可能なロケーションにおいて、より多くの種類の医療機能を提供する要望が存在する。
【課題を解決するための手段】
【００１０】
上述の要望は、以下の発明により、医療キオスク内の電子患者記録の複数の具体的構成への安全なアクセスを組み入れることにより達成される。端的にいえば、本発明の１つの態様によれば、個人情報装置を生成又は更新する方法は、患者識別情報と、医療履歴情報と、現在の患者の治療プランと、患者医療好み情報と、をコンピュータに入力することを含む。患者識別情報、医療履歴情報、現在の患者治療プラン、及び患者医療好み情報は、個人情報装置上に書き込まれる又は更新される。
【００１１】
本発明は、電子患者記録（ＥＰＲ）の様々な具体的構成と、それをどのように医療キオスクにインターフェースで接続するかを取り扱う。医療履歴情報に加え、患者と医者との対話を助けるための他のデータをＥＰＲに含めることができ、これにより、慢性的な状態を監視する又は健康的な生活を保つことを助けることが大いに容易にされる。ここに挙げるものに制限されないが、養護者（信頼された家族を含む）との情報の共有許容レベル、処方薬充填の好みのロケーション、デジタル認証の好みの方法（第三者による強制された利用を減らし、患者の使用の容易さを向上させるため）、及びＥＰＲ更新方法などのユーザプロフィールデータが、ＥＰＲの一部であってもよい。患者の医師による追加データを含めてもよい。例としては、患者が使っていた医師の情報、新しく行われる検査、結果を知る必要がある者への自動化された検査情報の流れ、例外報告（患者は、例えば、処方箋なしで実行できる検査などにおいて、検査情報が他人に転送されるべきかどうかを決定できる）及び医者による患者の類別（例えば、健康、監視の必要有り、又は治療中）が挙げられる。
【００１２】
多くの医療記録の具体的構成が医療キオスクと相互作用する方法は、利用の容易さ及び患者による継続したキオスクの利用のために重要である。異なる医者は、ＥＰＲの生成に異なる手段を使う場合がある。本発明は、医療キオスクがどのようにＥＰＲの複数の具体的構成に、情報の安全性及びプライバシーを保ちつつ、容易に、そして、キオスクの顧客にも明白な簡単明瞭な形でアクセスできるのかを示す。
【発明を実施するための最良の形態】
【００１３】
本発明は、特に、本発明による装置の一部を形成する構成要素又は本発明の装置とより直接的に協働する構成要素に向けられる。ここに特別に示されていない又は記載されていない構成要素は、当業者には広く知られた様々な形態をとりうることを理解されたい。
【００１４】
本発明の全体的な方法は、医療キオスクを使い、個人の身元を確認し、個人の電子患者記録（ＥＰＲ）にアクセスし、医療キオスクにおいて実行される検査を判断し、検査を実行し、検査の結果を記録して、個人が、異なる複数のカードの具体的構成を使うことを可能にすることである。
【００１５】
医療キオスクにおいてＥＰＲにアクセスする複数の具体的構成
図１は、個人が医療キオスク１０と通信するために使うことができる様々な具体的構成を示す。医療キオスク１０は、個人が、その個人の生活に一番便利な通信及び確証方法を選択できるように設計されている。装置又は具体的構成の特定の例を図１の左手側に沿って示す。一般的に、これらの具体的構成は、２つの特定のカテゴリに分類することができる。１つは生体測定システムであり、もう１つは個人情報装置である。
【００１６】
生体測定システムは、個人を一意に識別するために使われる。例えば、個人の網膜走査２０ａがデジタルカメラ５０により撮影され、特有の網膜シグネチャが画像内で分析されて個人が識別される。同様に、医療キオスク１０は、識別のために、いくつかの、生体測定において特有の個人の特徴のうちのいずれを使ってもよい。生体測定識別方法の他の例としては、声紋２０ｂの分析、指紋照合２０ｃ、及び個人の特有のＤＮＡの分析２０ｄ（例えば、髪のサンプルを通して）が挙げられる。これに加え、提案されている医療キオスク１０は、個人の体に埋め込まれた、着用可能装置内に埋め込まれた、又は衣類の一部として埋め込まれた生体測定チップ２２と通信できる。識別が完了すると、医療キオスク１０は、個人情報装置上に保存された、又は、図３に示すように、キオスクのローカル保存装置１３０に保存された又は内部又はＬＡＮ／ＷＡＮ接続１００を通じて中央サーバ１２０に保存された個人のＥＰＲにアクセスする。
【００１７】
図１を再び参照し、個人情報装置により表される具体的構成の群は、携帯情報端末（ＰＤＡ）２４と、ポケットＰＣ２６と、携帯電話２８と、ＥＰＲ医療カード３０と、クレジットカード３２と、を含む。図示されない他の装置としては、ジャンプドライブ動又は保存カードが挙げられる。これらの装置は、例えば、クレジットカード３２のように、単に個人の身元を認証するために使われてもよい。図３を参照し、医療キオスク１０は次に、ローカルの保存装置１３０にアクセスする又はインターネット又はＬＡＮ／ＷＡＮ接続１００を通じて中央サーバ１２０と通信し、個人のＥＰＲにアクセスする。この代わりに、個人情報装置内の内部メモリを使い、様々なＥＰＲ情報を保存し、ローカル保存装置１３０又は中央サーバ１２０のＥＰＲにアクセスする必要性を無くしてもよい。
【００１８】
提案される医療キオスク１０は、上述の具体的構成のいずれともスムーズにつながって通信することができる。例としては、以下が挙げられる。
生体測定構成
・個人は、医療キオスク１０に歩いていき、デジタルカメラ５０を見る。デジタルカメラ５０が、個人の網膜の高解像度画像を撮影する。医療キオスク１０は、次に、走査内の特有の特徴を識別し、この特徴をローカル保存装置１３０又は中央サーバ１２０内の情報又は個人情報装置に保存された暗号化された情報と比較する。
・個人は、医療キオスク１０に歩いていき、表示画面５２上に示されるフレーズを読む。特有の声紋２０ｂが識別され、ローカル保存装置１３０又は中央サーバ１２０内の情報又は個人情報装置に保存されている暗号化された情報と照合される。
・個人は、医療キオスク１０に歩いていき、ＤＮＡ分析による識別に使われる髪の毛を提供する。医療キオスク１０は、ＤＮＡ分析を実行し、その結果をローカル保存装置１３０又は中央サーバ１２０内の情報又は個人情報装置に保存された暗号化された情報と比較する。
・個人は医療キオスク１０に歩いていき、センサ又は検出器を、生体測定チップ２２が埋め込まれた肌の場所近くに配置する。場合によっては、生体測定チップ２２は、衣類の中又はアクセサリとして一体化されていてもよい（例えば、時計又はブレスレット）。センサは、無線通信手段を通じて生体測定チップ２２と通信し、患者を一意に識別するために使うことのできる情報をチップから読み取る。
個人情報装置
・個人は、医療キオスク１０に歩いていき、通信が始まる。医療キオスク１０の前面にあるセンサ領域５６がこれらの個人情報装置と通信する。通信は自動的に開始してもよいが、患者に、通信の開始のために、患者の物理的な装置をこのセンサに通過させて読み込ませることを必要としてもよい。この通信は、無線プロトコル（例えば、ブルートゥース又はＲＦ通信）を通じて実行できる。
・個人は、歩いていき、ＥＰＲ医療カード３０を医療キオスク１０の前面のスロット６０に挿入する。キオスクは、ＥＰＲ医療カード３０を識別目的及び／又は患者情報、医療記録、又は患者治療計画の引き出しを目的に調べる。
・個人は、歩いていき、クレジットカード３２を医療キオスク１０の前面のスロット６０に挿入する。クレジットカード３２は、個人の名前、住所、又は他の識別情報を提供する。医療キオスクは、データベース（中央サーバ１２０上又はローカル保存装置１３０上）を検索し、個人の現存ＥＰＲデータ記録１１０を見つける。
【００１９】
上述の通信の具体的構成の各々において、セッションの開始の前に個人の特有の確認を提供するための第２のステップが必要となる場合がある。
【００２０】
個人が一旦医療キオスク１０にアクセスし、身元が確認されると、個人は手動で検査手続きを選択してもよく、又は、医療キオスク１０が、ＥＰＲ内の個人の患者治療計画にアクセスして自動的に必要な検査を選択してもよい。一旦検査が識別されると、医療キオスク１０は、自動的に適切なカスタム検査装備を検査分配装置６２を通じて分配する。検査期間中は、個人が、手続きの進行に関して、スピーカ６１上の音声によるフィードバック又は画面５２上の視覚的なフィードバックを受ける。符号５８は、医療キオスク１０の前面の検査進行中表示器を表す。個人が検査を完了すると、全ての完了した装備を、医療キオスク１０の前面の受容器６４に戻すことができる。個人は、マイクロフォン６３を通じて第三者と通信できる。
【００２１】
医療キオスク１０自体が、いくつかの追加の特徴を有していてもよい。
・多目的デジタルカメラ５０は、個人の識別のために網膜画像／目の走査２０を撮影するために使われる。これに加え、このカメラは、リアルタイム動画を撮影し、個人が、遠隔地にいる医療プロフェッショナル及び／又はサポート員とテレビ会議できるようにしてもよい。
・表示画面５２は、重要な指示、医療情報、又は検査結果をセッションから個人に提供する。ユーザインターフェースを簡略化するために、この表示には、検査処理を通じて案内するために使われるタッチスクリーンを組み入れてもよい。表示画面はまた、医師、医療プロフェッショナル、又はサポート員のライブビデオ供給を示してもよい。これに加え、この表示画面５２は、遠隔のサイトからダウンロードされた画像又は動画を表示することもできる。
・高解像度デジタルカメラ５４をキオスク上の固定位置又は遠隔のつながれたアーム上に一体化し、診断のためのデジタル画像を撮影してもよい。例えば、医療キオスク１０を使い、外傷治療の進行を識別する、ほくろ（ｍｏｌｅ）を分析する、又は他の肌の状態を診断することができる。
【００２２】
ＥＰＲ医療カードの生成
図２に、ＥＰＲ医療カード３０がどのように生成されるかを示す。一般に、患者識別及び必要な医療検査情報がコンピュータに入力され、このＥＰＲ情報が次に、保存装置に書き込まれる。情報は、医者／専門家７０、看護士７２、医療アシスタント７４、事務アシスタント７６、又は薬剤師７８によって入力できる。この情報は、音声認識ソフトウェア８０又はコンピュータキーボード８４によって直接入力されてもよく、又は自動化された手段によって入力されてもよい。例えば、医療情報は、現存の実行管理ソフトウェア８６から自動的に抽出されてもよく、又は現存の医療文書８２を走査することにより自動的に抽出されてもよい。一旦情報がコンピュータ８８に入力されると、データは、ＥＰＲ医療カード９０への直接的な書き込み、ＰＤＡ、ＰＣ、又はポケットＰＣ９２への電子的な情報の転送、及び携帯電話９４への転送又はインターネット接続９６を通じた遠隔の保存場所（すなわち、ネットワーク中央倉庫中央サーバ１２０又はキオスクローカル保存装置１３０）への転送を含む、いくつかの手段によってＥＰＲデータ記録に転送できる。
【００２３】
ＥＰＲの具体的構成上のシステム図及び可能なデータ形式
図３は、医療キオスク環境内でのデータ交換を示すシステム図である。このシステムは、４つの鍵となる構成要素を含む。
ＥＰＲデータ記録１１０は、以下を含む。
・患者情報−患者の名前及び住所を含む。
・患者確認情報−この情報は、単純なパスワード又はピン番号であってもよく、又は識別のためのより複雑な生体測定データであってもよい。
・医療記録−個人の完全な医療履歴、患者の医療履歴の一般的な副集合、及び医師のコメント。
・現在の治療計画−現在の治療計画は、医師の指示、処方箋、推奨される検査手続きのリスト、及びスケジュールされた時間を詳しく説明する。医療検査情報は、ここに挙げるものに制限されないが、コレステロール、血糖値、薬物検出、アルツハイマー病、妊娠に関連した検査、目の検査、唾、血液、肌、体液、体の画像、心電図、ハイパースペクトル撮影、多スペクトル撮影、又は酸素化を含んでいてもよい。これに加え、現在の治療計画は、検査シーケンスの事前の承認を含む保険会社からの情報を保存してもよい。
・ユーザの好み−個人が医療キオスク１０又は医師に対して口座を作る時に、カスタムユーザ好みファイルを生成する。一般的には、これらの好みは、５つの特定のカテゴリに分類できる。すなわち、個人情報、ＥＰＲ情報、医師／保険会社情報、医療記録へのアクセス、及び医療記録／現在の治療計画である。
・個人情報
・患者連絡先情報−名前、住所、電話番号、メールアドレス。
・非常時の連絡先番号。
・好ましい処方薬充填場所。
・保険許可、予め支払う計画、クレジットカード、又は現金での支払いを含む医療キオスクで行われたサービスの支払い方法。
・ＥＰＲ情報
・患者情報を安全にするための暗号化方法。ＥＰＲデータ記録１１０が保存される場所の好み（医療キオスクのローカル保存装置１３０、個人情報装置、又はキオスクの中央サーバ１２０）。
・検査手続きの結果を反映した現在の治療計画を更新するための好ましい方法。
・好ましいデジタル許可の方法。
・医師／保険会社情報
・全ての健康管理提供者の連絡先情報（名前、住所、電話番号、メールアドレス）。
・医療情報の医師が優先する報告方法。例えば、医師は、問題があるときのみ通知されることを望む場合がある。他の場合においては、医師は、患者の進行を監視していて、全ての検査結果を通知するよう要望する場合もある。
・許容レベル／医療記録へのアクセス
・医師、保険会社、及び家族が医療記録、現在の治療計画、及び検査結果にアクセスするときの許容レベル。これは、医療キオスク１０で実行されている検査及び／又はサービスの共有権及び通知権を含む。場合によっては、現在の治療計画の全てのデータに対して許可が出る。他の場合には、患者が、特定のデータに対する許可を与えたり拒否したり選択することができる。
・「医者委任状」（ｐｏｗｅｒ  ｏｆ  ｄｏｃｔｏｒ）の許可。
・医療記録を書き込む許可。
・医療記録／現在の治療計画
・患者の現在の治療計画は、最近の検査手続きの記録、医者の予約、及び患者の現在の医療問題に関連する薬を含む。
・将来の医療予約及び／又は実行する必要のある検査手続きのスケジュール。患者の長期的な医療履歴。ユーザの好みによっては、これは、詳細な患者履歴であってもよく、又は高レベルの要約であってもよい。
【００２４】
ＥＰＲアクセス
図３に、ＥＰＲ医療カード３０を例として示すが、他の具体的構成のいずれを使ってもよい。個人の身元は、生体測定システム又は個人情報装置を使い確認される。ユーザの好み及び装置の保存装置によって、これらの具体的構成は、個人の身元の識別及び確認に必要な全ての情報をローカルで保存する場合もある。限定された保存能力の具体的構成又は保存能力のない具体的構成の場合、これらの具体的構成を使い個人を識別し、医療キオスク１０は、医療キオスクのローカル保存装置１３０上に保存された又はキオスクの中央サーバ１２０上に保存された追加の情報を使い、個人の身元を確認する。
【００２５】
十分なメモリを有するＥＰＲの具体的構成の場合、患者は、ＥＰＲデータ記録１１０の全部又は情報の位置へのポインタを含む、様々なデータ要素をキオスクのローカル保存装置１３０又は中央サーバ１２０などの医療キオスク環境内に保存することを選択できる。
【００２６】
医療キオスク１０
医療キオスク１０は、ネットワーク化された装置又はスタンドアロン装置として設計される。スタンドアロン医療キオスクは、ローカル保存能力を有する。この保存装置は、重要な患者情報、医療履歴、及びユーザの好みを保持するために使われる。ネットワーク化された医療キオスクは、インターネット又はＬＡＮ／ＷＡＮ１００を通じて中央サーバ１２０にアクセスすることができる。リアルタイムの患者情報及び／又は検査結果を、このネットワークを通じて交換できる。
【００２７】
キオスク中央サーバ１２０
システムは、電子患者記録の保存及び引き出しに使われるネットワーク中央倉庫中央サーバ１２０を含んでいてもよい。中央サーバ１２０により、ユーザが、医療キオスク１０をいつでもどこの場所でも動作させて、ＥＰＲにアクセスする柔軟性を持たせることができる。この中央サーバ１２０に保存された情報はまた、医師、保険会社、養護者、及び主な家族とやりとりできる。また、中央サーバ１２０は、患者の進行を追跡できる。例えば、サーバは、患者が処方薬を充填したかどうか及び／又はスケジュールされた検査手続きを休んだかどうかを追跡できる。問題が認識された場合、キオスクの中央サーバ１２０は、メール、電話によるメッセージ、及び他の警報を患者、医師、又は家族に送ることができる。これらのメッセージは、追加の検査や最も近い医療キオスクのロケーションを含んでいてもよい。
【００２８】
大半の場合、キオスクの中央サーバ１２０上のデータは、インターネット又はＬＡＮ／ＷＡＮ１００を通じてリアルタイムにアクセスされ更新される。提案される設計はまた、ローカルの医療キオスク１０がインターネット１００へのアクセスを有していない場合のデータのやりとりを支援する。この場合、ローカル医療キオスク１０は、中央サーバ１２０に営業時間以外の時間にダイヤルアップし、患者の情報のやりとりを行う。
【００２９】
ＥＰＲ医療カードの機能
図４に、ＥＰＲ医療カード３０の機能を示す。カードは、物理的には典型的なクレジットカードと同じように見えるが、いくつかの独自の特徴を備えている。第１に、カードは、個人を一意に識別する情報を有する磁気ストリップ、ＲＦチップ、又はメモリ保存装置を含む。この情報にアクセスするためには、個人は、カードを医療キオスク１０のスロットに挿入するか、カードをシステムのセンサ５６近くを通過させて読み込ませ、通信を開始する。医療キオスク１０は、カードの磁気ストリップ、ＲＦチップ、又はメモリから情報を読み取り、個人を識別しようと試みる。識別子として使うことのできる情報の種類は、一意の患者ＩＤ及びピン番号又は生体測定情報を含む。
【００３０】
これに加え、実装メモリを有するＥＰＲ医療カード３０の場合、カードは、ローカルで個人のＥＰＲを保存する。この情報は、医療キオスク１０によって読み取られ、現在の検査手続き又は医師からの新しい情報を、カードにダウロードして長期的に保存できる。
ＥＰＲ医療カード３０の追加の特徴としては、以下のものを含む。
・ＥＰＲ表示画面４２−小さな表示画面を一体化させることにより、カードの能力を大きく向上させることができる。例えば、ＥＰＲ表示画面４２を使い、患者に推奨される次の検査の日付を自動的に表示できる。
・ＥＰＲ医療カード上の親指の指紋／指紋センサ４０−ＥＰＲ医療カード３０は、個人の指紋を自動的に読み取り、カードに保存されている参照ファイルと比較する、実装センサを組み入れていてもよい。親指指紋／指紋センサ５８は、このようなセンサを内蔵していない装置の場合には、医療キオスク１０に配置されていてもよい。
・支払いオプションをＥＰＲ医療カード３０に保存してもよい。例えば、個人は、将来のサービスに対して予め支払うことを選択する場合もある。個人が検査を実行する度に、検査の費用が予め支払われた金額から引かれる。その他の場合としては、保険会社が、検査スケジュール又は有限数の検査を予め許可する場合もある。医療キオスク１０は、ＥＰＲ医療カード３０から又はキオスクの中央サーバ１２０からこの情報にアクセスでき、患者により実行されている検査を自動的に追跡できる。
【００３１】
医療キオスクにおけるＥＰＲカードの具体的構成
図６に、患者が医療キオスク１０に近づき、ＥＰＲ医療カードを、システム上の物理的なカードリーダ６０又はスマート無線センサ５６を通過させて読み取らせる（２００）場合を示す。医療キオスク１０は、ＥＰＲ医療カード上の情報にアクセスして（２２０）ユーザを識別する。一旦ユーザが識別されると、キオスクは、ユーザの名前及び口座情報にアクセスする（３００）。この情報は、ローカル保存装置１３０又は中央サーバ１２０に保存されていてもよく、又は、必要な情報が、ＥＰＲ医療カード３０上の実装メモリから直接読み取られてもよい。セキュリティのために、第２の方法を使って、キオスクに入る人物の身元を確認する必要がある。患者は、最終的な確認（３６０）のために、一意のパスワード／ＰＩＮ番号を入力するよう求められる場合がある。また、網膜走査などの生体測定情報を確認に使う（３５０）こともできる。
【００３２】
一旦医療キオスク１０が患者の身元を確認すると、医療キオスク１０は、患者の医療記録及び現在の治療計画にアクセスしようと試みる。この例の場合、この情報は、直接ＥＰＲ医療カード上のメモリから（４１０）、ローカル保存装置１３０から、又は中央サーバ１２０から引き出す（４５０）ことができる。患者の治療計画が特定の検査の実行を必要とする場合、個人は、完了させる必要のある検査について知らされる（５５０）。個人は、これらの検査の１つを選択するか、他のサービスを選択する（５００）ことを選ぶかの選択肢を与えられる。治療計画が存在しない場合、患者は、実行したいサービスを選ぶ選択肢を与えられる（５００）。
【００３３】
サービスが選択されると、医療キオスク１０は、個人に検査を案内し、全ての必要な材料を提供し、検査結果を患者に提供する（７００）。検査が完了すると、患者は、いくつかの選択肢が与えられる。
・検査結果をＥＰＲに追加するかどうかを選択する（７５０）。また、この情報は、ローカル保存装置１３０、中央サーバ１２０、又はＥＰＲ医療カード３０に保存することができる。
・検査結果を他の家族がアクセス可能とするかどうかを選択する。また、患者は、結果を医者、専門家、又は保険会社に提出するかどうかを選択できる（８００）。
注記：患者は、医療キオスク検査結果の情報がどのように、いつ、そしてどこで共有及び／又は保存されるかを詳しく示すユーザ好みを以前に設定した場合、このステップをスキップしてもよい。
【００３４】
医療キオスクにおけるクレジットカード型の具体的構成
図５は、患者が医療キオスクに近づき、クレジットカードのいずれかを通過させて読み取らせる（２００）場合を示す。医療キオスク１０は、クレジットカード情報に遠隔でアクセスし、ユーザを識別する。一旦ユーザが識別されると、医療キオスク１０は、ユーザの名前及び口座情報にアクセスする（３００）。セキュリティのため、キオスクにアクセスしている人物を第２の方法で確認することが必要である。患者は、最終確認（３６０）のために、一意のパスワード／ＰＩＮ番号又は他の身元確認情報を入力するよう求められる場合がある。
【００３５】
医療キオスク１０が一旦個人の身元を確認すると、医療キオスク１０は、個人の医療記録にアクセスする（４５０）。この場合、この情報は、ローカル保存装置１３０又は中央サーバ１２０から引き出される。治療計画が、特定の検査の実行を必要とする場合、患者は、完了される必要がある検査に関して知らされる（５５０）。患者は、これらの検査の１つを選択するか又は他のサービス選択するか（５００）の選択肢が与えられる。治療計画が存在しない場合、患者は、実行したいサービスを選ぶ（５００）選択肢が与えられる。
【００３６】
サービスが選択された時には、医療キオスク１０は、患者を検査の間案内し、全ての必要な材料を提供し、検査結果を患者に提供する（７００）。一旦検査が完了すると、患者は、いくつかの選択肢が与えられる。
・検査結果を患者のＥＰＲに追加するかどうかを選択する（７５０）。
・他の家族が検査結果にアクセス可能とするかどうかを選択する。また、患者は、結果を医師、専門家、又は保険会社に提出するかを選択できる（８００）。
【００３７】
医療キオスクにおけるパーソナルコンピュータ（ＰＣ）、携帯情報端末（ＰＤＡ）、ポケットＰＣ、又は携帯電話による具体的構成
図７に、個人が医療キオスク１０に近づき、パーソナルコンピュータ（ＰＣ）、携帯情報端末（ＰＤＡ）２４、ポケットＰＣ２６、又は携帯電話２８を、システム上のスマート無線センサ５６を通過させ読み取らせる場合を示す。医療キオスク１０は、無線接続（例えば、ブルートゥースやＲＦ接続）を通じて装置にアクセスしようと試み（２４０）、ユーザを識別する情報を読み取ろうと試みる。一旦ユーザが識別されると、キオスクは、ユーザの名前及び口座情報にアクセスする（３００）。この情報は、ローカル保存装置１３０又は中央サーバ１２０に保存されていてもよく、又は、必要な情報が、これらの物理的な装置上の実装メモリから直接読み取られてもよい。セキュリティのため、キオスクにアクセスしている人物の身元を、第２の方法で確認する必要がある。個人は、最終確認（３６０）のために、一意のパスワード／ＰＩＮ番号又は他の識別情報を入力するよう求められる場合がある。これに加え、網膜走査などの生体測定情報を使い、確認（３５０）を行ってもよい。
【００３８】
一旦キオスクが個人の身元を確認すると、医療キオスク１０は、個人のＥＰＲにアクセスしようと試みる。この場合、この情報は、物理的な電子装置上のメモリから直接引き出す（４１０）、又はローカル保存装置１３０、又は中央サーバ１２０から引き出すことができる（４５０）。患者の好み及びこれらの電子装置（メモリ、処理能力、及び通信能力など）の特定の制限が、個人のＥＰＲがどこに保存されるのかを決定する。
【００３９】
患者の治療計画が、特定の検査の実行を必要とする場合、患者は、完了する必要のある検査について知らされる（５５０）。患者は、これらの検査の１つを選択する選択肢が与えられるか、又は他のサービスを選ぶことを選択できる（５００）。治療計画が存在しない場合、患者は、実行したいサービスを選ぶ（５００）選択肢が与えられる。
【００４０】
サービスが選ばれた場合、医療キオスク１０は、患者を検査を通じて案内し、全ての必要な材料を提供し、検査結果を患者に提供する（７００）。検査が一旦完了すると、患者はいくつかの選択肢が与えられる。
・検査結果を患者のＥＰＲに追加するかどうかを選択する（７５０）。
・他の家族が検査結果にアクセス可能かどうかを選択する。これに加え、患者は、結果を医師、専門家、又は保険会社に提出するか（８００）を選択できる。
注記：患者は、医療キオスク検査結果について、情報がどのように、いつ、どこで共有及び／又は保存されるかを詳細に示すユーザの好みを以前に設定してあれば、このステップをスキップできる。
【００４１】
電子装置は、情報を患者に表示し、検査のことを思い出させる及び／又は患者が検査を実行するために望むキオスクを探すことを助けることができる。携帯電話２８、ＰＤＡ２４、及びパーソナルコンピュータが、指示案内を提供できることが知られている（ヤフーマップ（Ｙａｈｏｏ  Ｍａｐ）及び他のウェブで可能なサービス）。これに加え、全地球位置把握システム（ＧＰＳ）が、これら全ての装置において利用可能であり、現在の位置（又は特定された位置）を示し患者を案内するために情報を提供できる。
【００４２】
医療キオスクにおける個人生体測定センサ又は個人生体測定の具体的構成
図８に、個人が医療キオスク１０に近づき、ボタンを押す又は表示画面５２上で無線により識別されてセッションを開始する例を示す。患者は、医療キオスク１０に、生体測定シグネチャを使って患者の身元を確認するよう指示する（２６０）。可能な例としては、以下を含む。
・生体認証チップ２２−個人は、センサ又は検出器を、生体測定チップ２２が埋め込まれた肌の位置又は生体測定チップ２２がアクセサリ又は衣類に配置された位置の近くに配置する。センサは、なんらかの形の無線通信（すなわち、ＲＦ）を通じて、埋め込まれたチップと通信する。情報がチップから読み取られ、患者を一意に識別する。この情報は次に、キオスクのローカル保存装置１３０又は中央サーバ１２０の記録と比較される。
・個人が、表示画面上に示されるフレーズを読む。患者の一意の声紋２０ｂが識別され、キオスクの中央サーバ１２０内の情報と照合される。
・個人は、髪の毛を提供し、識別のために使われる一意のＤＮＡ指紋を識別する。
・個人は、高解像度デジタルカメラ５０を見て、医療キオスク１０が、患者の網膜走査２０ａを撮影し分析する。この画像内の一意の網膜シグネチャは、患者の識別のために、キオスクの中央サーバ１２０内の記録と照合される。
【００４３】
一旦ユーザが識別されると、医療キオスク１０は、ローカル保存装置１３０又は中央サーバ１２０に保存されている名前及び口座情報にアクセスする（３００）。セキュリティのため、チップが埋め込まれていない場合又はシステムを使用することを誰かに強制されることを防止するために、キオスクにアクセスする人物の身元を第２の方法で確認する必要がある。患者は、最終確認（３２５）のために、一意のパスワード／ＰＩＮ番号又は他の識別情報を入力するよう求められる場合もある。
【００４４】
一旦医療キオスク１０が個人の身元を確認すると、医療キオスク１０は、個人の医療記録及び現在の治療計画にアクセスしようと試みる。この例では、この情報は、ローカル保存装置１３０又は中央サーバ１２０から取得される（４５０）。
【００４５】
患者の治療計画が特定の検査の実行を必要とする場合、患者は、完了させる必要がある検査について知らされる（５５０）。患者は、これらの検査の１つを選択する選択肢が与えられるか、他のサービスを選ぶ（５００）ことを選択することができる。治療計画が存在しない場合、患者は、実行したいサービスを選択する（５００）選択肢が与えられる。
【００４６】
サービスが選択された場合、医療キオスク１０は、患者を検査を通じて案内し、全ての必要な材料を提供し、検査結果を患者に提供する（７００）。一旦検査が完了すると、患者は、いくつかの選択肢が与えられる。
・検査結果を患者のＥＰＲに追加するかどうかを選択する（７５０）。
・他の家族が検査結果にアクセス可能かどうかを選択する。これに加え、患者は、結果が、医師、専門家、又は保険会社に提出されるかを選択できる（８００）。
【００４７】
ネットワーク又はインターネットに接続されていない医療キオスク
図９に、個人が医療キオスク１０に近づき、ＥＰＲ医療カード３０を、物理的なカードリーダ６０又はシステム上のスマート無線センサ５８を通過させ読み取らせる（２２０）例を示す。医療キオスク１０は、ＥＰＲ医療カード３０上の情報にアクセスし、ユーザを識別する（２２５）。一旦ユーザが識別されると、医療キオスク１０は、ユーザの名前及び口座情報にアクセスする。医療キオスク１０は、インターネットにもネットワークにも接続されていないため、キオスクは、この情報を、ＥＰＲ医療カード３０上の実装メモリから直接読み取る必要がある。セキュリティのため、第２の方法を使い、キオスクに入る人物の身元を確認する必要がある。患者は、最終確認（３６０）のために、一意のパスワード／ＰＩＮ番号又は他の識別情報を入力するよう求められる場合がある。網膜走査などの生体測定情報を使い、確認を行う（３５０）こともできる。
【００４８】
一旦医療キオスク１０が個人の身元を確認すると、システムは、ＥＰＲ医療カードからの、患者の医療記録及び現在の治療計画にアクセスする（４１０）。特定の検査の実行がスケジュールされている場合、患者は、完了する必要のある検査について知らされる（５５０）。患者は、これらの検査のうちの１つを選択する選択肢を与えられるか、他のサービスを選ぶ（５００）ことを選択できる。治療計画が存在しない場合、患者は、実行したいサービスを選択する（５００）選択肢を与えられる。
【００４９】
次に、システムは、ＥＰＲ医療カード３０にクエリを送り、保険会社が、検査手続きを予め許可しているかどうか及び／又は予め支払われた資金が利用可能かどうかを判断する。選択された検査手続きが予め許可されていない及び／又は予め支払われた資金がＥＰＲ医療カード３０上に残っていない場合、医療キオスク１０は、クレジットカード会社に問い合わせ、支払いの許可を求める（５６０）。
【００５０】
医療キオスク１０は、患者を検査を通じて案内し、全ての必要な材料を提供し、検査結果を患者に提供する（７００）。一旦検査が完了すると、患者は、いくつかの選択肢が与えられる。
・検査結果を医療履歴に追加するかどうかを選択する。これに加え、この情報は、ローカル保存装置１３０、中央サーバ１２０、又はＥＰＲ医療カード３０に保存できる。個人が情報を中央サーバ１２０に保存するよう求める場合、ネットワーク接続が存在しないため、情報は、後の時間に転送され保存される。医療キオスク１０は、「フラグ」又はインジケータを医療カード３０上に書き込み（７６０）、一旦ネットワークへの接続が利用可能になった時に中央化された記録の更新の実行が必要とされていることを示す。任意に、印刷された出力が、検査の証拠及び見つかったことを他者に伝達する（７２５）手段として必要とされる。
・他の家族が検査結果にアクセス可能かどうかを選択する。これに加え、患者は、結果が、医師又は保険会社に提出されるかを選択できる（８００）。
注記：患者は、医療キオスク検査結果に関して、情報がどのように、いつ、どこで共有／保存されるかを詳しく示すユーザの好みを以前に設定していた場合には、このステップをスキップできる。
【図面の簡単な説明】
【００５１】
【図１】医療キオスクにおける、電子患者記録（ＥＰＲ）の複数の具体的構成を示す斜視図である。
【図２】ＥＰＲ医療記録がどのように生成されるかを示す斜視図である。
【図３】様々なＥＰＲの具体的構成のシステム図及び可能なデータ形式を示す斜視図である。
【図４】ＥＰＲの一例を示し、ＥＰＲがどのように患者及びキオスクにインターフェースでつながるかを示す図である。
【図５】医療キオスクにおけるＥＰＲカードを使う代替実施形態を示すフローチャートである。
【図６】医療キオスクでクレジットカードを使うフローチャートである。
【図７】パーソナルコンピュータ（ＰＣ）、携帯情報端末（ＰＤＡ）、ポケットＰＣ、又は携帯電話を医療キオスクで使う代替実施形態を示すフローチャートである。
【図８】医療キオスクにおいて個人生体測定センサ又は個人生体測定を使う代替実施形態を示すフローチャートである。
【図９】ネットワーク又はインターネットに接続されていないキオスクの代替実施形態を示すフローチャートである。
【図１】
2008521130.tif 000003
【図２】
2008521130.tif 000004
【図３】
2008521130.tif 000005
【図４】
2008521130.tif 000006
【図５】
2008521130.tif 000007
【図６】
2008521130.tif 000008
【図７】
2008521130.tif 000009
【図８】
2008521130.tif 000010
【図９】
2008521130.tif 000011
【国際調査報告】
2008521130.tif 000012
2008521130.tif 000013
2008521130.tif 000014
2008521130.tif 000015
2008521130.tif 000016
2008521130.tif 000017